【事件の表示】
　平成１０年特許願第１２３６５０号「給湯・追焚装置の表示装置」拒絶査定不服審判事件〔平成１１年１１月１６日出願公開、特開平１１−３１６５６５〕について、次のとおり審決する。
【結　論】
　本件審判の請求は、成り立たない。
【理　由】
第１　手続の経緯・本願発明  
　　　　本件は、平成１０年５月６日にされた特許出願（特願平１０−１２３６５０号。以下、「本件出願」という。）につき、拒絶査定が平成１５年１０月２３日付けでされ、同年１１月４日に発送されたところ、この拒絶査定に対する審判が同年１１月２０日に請求されるとともに同年１２月２２日付けで手続補正書が提出され、当審において平成１８年９月８日付けで通知した拒絶の理由に対し、意見書及び手続補正書が同年１１月２０日に提出されたものであって、本件出願の請求項１〜請求項６に係る発明は、平成１３年７月３０日提出の手続補正書、平成１５年７月２８日提出の手続補正書、同年１２月２２日提出の手続補正書及び平成１８年１１月２０日提出の手続補正書により補正された明細書及び図面の記載からみて、特許請求の範囲の請求項１〜請求項６に記載された事項により特定されるとおりのものであって、その請求項１に係る発明（以下、「本願発明」という。）は次のとおりのものである。
 　　 
【請求項１】「　給湯・追焚装置を遠隔操作するリモコン装置に設置されて給湯・追焚装置の指令や動作の内容を表示する、給湯・追焚装置の表示装置であって、
　前記給湯・追焚装置に対する運転指令、運転中の操作指令に用いる指令スイッチと、
　複数の蛍光表示管を備えて該蛍光表示管の点灯により必要な文字や記号等の表示をする表示器と、
　この表示器の前記蛍光表示管のアノード、グリッド又はカソードに給電し、これらアノード、グリッド又はカソードに対する給電を選択的に遮断する給電手段と、
　前記蛍光表示管のカソードに対する給電を解除する省電力モードの指令又はその指令を解除する省電力モードスイッチと、
　前記指令スイッチの操作に基づき前記給電手段からの前記蛍光表示管のアノード又はグリッドに対する給電を制御して前記表示器に必要な表示をさせ、前記省電力モードスイッチの操作により、前記省電力モードに移行させ、この省電力モードにおいて、前記カソードに対する給電を遮断して前記蛍光表示管を消灯状態に制御し、この省電力モード中の前記指令スイッチの操作により又は前記給湯・追焚装置から送出される、動作開始を表す動作開始フラグ、バーナの炎検出を表す炎検出信号、水流を表す水流検出信号の何れかにより前記省電力モードを解除し、前記カソードの給電を再開させて前記蛍光表示管を点灯状態にする制御手段と、
　を備えたことを特徴とする給湯・追焚装置の表示装置。」
 　  
第２　当審の拒絶理由 
　　　　一方、当審において平成１８年９月８日付けで通知した拒絶の理由の概要は、本件出願の請求項１〜６に係る発明は、本件出願前の平成８年６月２５日に頒布された特開平８−１６６１６４号公報（以下、「引用刊行物Ａ」という。）に記載された発明、本件出願前の平成１０年２月２０日に頒布された特開平１０−５１９５３号公報（以下、「引用刊行物Ｂ」という。）に記載された発明、本件出願前の平成２年５月２２日に頒布された特開平２−１３３７５０号公報に記載された発明、本件出願前の平成８年５月７日に頒布された特開平８−１１４３５５号公報に記載された発明及び周知の技術事項に基づいて当業者が容易に発明をすることできたものであるから、特許法第２９条第２項の規定により特許を受けることができない、というものである。  
  　　　　　　 
第３　引用刊行物に記載された発明  
　　　　上記引用刊行物Ａには、 
（Ａ−１）「【０００１】 
【産業上の利用分野】本発明は運転スイッチを備えた操作部を持つ追焚き機能付給湯器に利用される。」こと、 
（Ａ−２）「【０００３】 
【発明が解決しようとする課題】しかしながら、運転スイッチの入，切は手動で行なわれ、運転スイッチを切にしないかぎりは、全ての制御機構は作動待機状態のままである。そのため、運転スイッチをオンしたままであることを忘れて、掃除等の時にうっかり追焚きスイッチをさわってしまって、湯が沸いているのにさらに追焚きしてしまったり、自動給湯スイッチをさわってしまって必要でない湯を給湯してしまう危険がある。あるいは、浴槽に湯がない場合に追焚きスイッチを誤って押すと、エラー表示がでるが、予期してないことであるので、給湯器の故障と勘違いすることもある。　また、最近、表示に蛍光管を使用する構成のリモコンでは、消費電力も大きく、運転スイッチを切り忘れると、むだに電力を浪費してしまうという問題もある。」こと、 
（Ａ−３）「【０００７】 
【作用】上記構成を有する本発明の第１の追焚き機能付給湯器は、リモコンに設けられた運転スイッチをオンしてから、表示部に運転情報を表示し、操作スイッチの操作によりコントローラが働いて燃焼器の燃焼制御を行なう。つまり、自動給湯や追焚きを指示する。こうした場合に、所定時間燃焼動作をしないと、自動オフ手段によりリモコンの運転スイッチを自動的にオフする。運転スイッチは、自動給湯や追焚きスイッチより優先し、運転スイッチをオンしていないと、表示部の表示を行なわないばかりか、これらの操作スイッチの入力操作を受け付けず、給湯や追焚きに伴う燃焼動作もできない。したがって、運転スイッチを切り忘れてもそのまま所定時間経過すると、自動的に運転スイッチがオフしているので、運転スイッチ以外は、どの操作スイッチも入力操作が受け付けられない状態になっている。こうした時、誤って操作スイッチを押した時でも作動しないので安全である。また、表示部も消灯しているのでむだな電力を消費しない。なお、再度運転スイッチを押せば、入力操作や燃焼動作をすることができる。 ・・・
【００１０】 
【実施例】以上説明した本発明の構成・作用を一層明らかにするために、以下本発明の追焚き機能付給湯器の好適な実施例について説明する。　図３は一実施例としての追焚き機能付給湯器の概略構成図である。追焚き機能付給湯器１（以下、単に給湯器１と呼ぶ）は、外部配管２により浴槽３と接続され浴槽水を循環加熱する循環加熱回路部４と、浴槽３に給湯する給湯回路部５と、両回路の動作を制御するコントローラ７とからなる。循環加熱回路部４は、ファン３０により燃焼用空気が供給される燃焼室３５と、燃焼室３５内でガスを燃焼させるバーナ３３と、浴槽水をガス燃焼により循環加熱する熱交換器１４と、バーナ３３へのガス供給路であるガス導管１７と、ガス流路の開閉をおこなう電磁弁３２と、ガス圧を一定にするガスガバナ３４と、図示しない点火装置等とからなる。浴槽水が対流循環する釜内循環路１５には、浴槽３の水位を検知する圧力センサ２９が設けられる。
【００１１】
　給湯回路部５は、ファン９により燃焼用空気が供給される燃焼室１９と、燃焼室１９内でガスを燃焼させるバーナ１３と、水入口より供給された水をガス燃焼により加熱する熱交換器６と、バーナ１３へのガス供給路であるガス導管１７と、ガス流路の開閉を行なう電磁弁１０と、ガス量を制御する比例制御弁１２と、図示しない点火装置等とからなる。水入口には水の流れを検知する水流スイッチ８が、熱交換器６下流の出口パイプ１８途中には、加熱後の湯温を検出するサーミスタ１６と循環加熱回路部４への湯の開閉を行なう水電磁弁３１が設けられる。また、給湯器１からは、浴槽３だけでなく台所，洗面所等にも給湯される。出口パイプ１８から出湯する湯を配管し、配管先には器具とは別に湯の開閉をおこなう給湯栓１１が設けられる。 
【００１２】コントローラ７は、循環加熱制御，自動給湯制御および一般給湯制御等を行なうもので、図示しない周知の算術論理演算回路を構成するＣＰＵ，ＲＡＭ，ＲＯＭと、各種センサからの信号を入力する入力インタフェースと、各種のアクチュエータに駆動信号を出力する出力インタフェース等から構成される。図３においては、水流スイッチ８、ファン３０，９、圧力センサ２９、サーミスタ１６、電磁弁１０、水電磁弁３１、ガス電磁弁３２のみの入出力関係を図示し他は省略している。このコントローラ７には、遠隔操作用のリモコン２０が接続される。 
【００１３】リモコン２０の操作表示面には、図４に示すように、運転情報を表示する表示部２１と、運転の開始，停止を行なう運転スイッチ２２と、浴槽３への給湯を指示する自動給湯スイッチ２３と、浴槽水の追焚きを指示する追焚きスイッチ２４と、所定時間給湯追加するたし湯スイッチ２５と、給湯温度を上下する給湯温度ボタン２６等の操作スイッチ類が設けられる。表示部２１には、・・・蛍光管により、給湯温度や給湯時間等の運転情報や異常情報等が発光表示され、運転スイッチ２２をオンするとはじめて点灯する。操作スイッチ類も、運転スイッチ２２をオンした後、作動待機状態となり、指で押すことによりオンすることができると同時に、運転スイッチ２２，自動給湯スイッチ２３等は作動時にスイッチ部自身も点灯する構成となっている。 
【００１４】浴槽３への給湯は、次のようにして行なわれる。まず、運転スイッチをオンにしてリモコン２０の自動給湯ボタン２３またはたし湯スイッチ２５を押すと、水電磁弁３１が開いて水流スイッチ８がオンしファン９が回転する。ガス電磁弁１０が開き、比例制御弁１２を経由してバーナ１３に燃料ガスが供給されて点火し、コントローラ７により燃焼制御される。このほかに一般給湯においては、台所，洗面所等に設けられた給湯栓１１を開くことにより、この水流スイッチ８がオンして、同様の燃焼制御により給湯が開始される。サーミスタ１６で検出された湯温と設定温度とに差があると、コントローラ７により、ガス量を連続的に変化させて湯温を一定に保つ。ガス量の変化に応じて、ファン９の回転数も変化し、常にガス量と空気量の関係を一定に保つ。こうして、自動給湯の場合は、浴槽３の所定の水位まで給湯されると、圧力センサ２９の信号により、コントローラ７が働いて給湯は停止される。いっぽう、たし湯の場合は、設定たし湯時間が経過すると同様にして給湯は停止される。また、リモコン２０の追焚きスイッチ２４を押すと、圧力センサ２９により浴槽３内に水があることを確認し、ファン３０が回転してガス電磁弁３２が開きガスガバナ３４を経由してバーナ３３に燃料ガスが供給される。そして、上述した給湯回路部５と同様に、コントローラ７により燃焼制御される。こうして、設定時間が経つか、追焚きスイッチ２４を再度押すと、ガス電磁弁３２が閉じて消火する。 
【００１５】こうした状態（即ち運転スイッチ２２がオン）で、給湯器１を使用しない（自動給湯や追焚きあるいは一般給湯をしない）で一定時間経過すると、コントローラ７は自動的に運転スイッチ２２をオフする。同時にリモコン２０の操作表示面も消灯し表示部２１も消える。・・・ 
【００１９】通常は、運転スイッチ２２をオフ操作すると、運転スイッチ２２を再度オン操作しないかぎり、運転情報の表示はもとより他のスイッチ（自動給湯スイッチ２３，追焚きスイッチ２４，たし湯スイッチ２５等）を押しても給湯栓１１を開いても燃焼を行なわないが、自動的に運転スイッチ２２がオフした場合は、給湯栓１１を開いた時にかぎって、自動的に運転スイッチ２２をオフとした処理をキャンセルしオンの状態に復帰させることができる。つまり、水流スイッチ８がオンした時に限って給湯燃焼する。運転スイッチ２２が自動的にオフすると、リモコン２０の表示を消し（表示部２１消灯，スイッチ類の点灯もなく消灯状態）運転スイッチ２２以外のリモコン操作を受け付けない。しかし、水流スイッチ８からの入力は受け付ける。つまり、リモコン２０の表示が消えている状態では、自動給湯スイッチ２３，追焚きスイッチ２４，たし湯スイッチ２５を押しても入力できない。こうした状態であっても、燃焼制御は全て機能している状態であるので、給湯栓１１を開くと（Ｓ２３，ＹＥＳ）運転スイッチ２２が自動的にオン復帰し（Ｓ２４）、リモコン２０の表示も復帰（点灯）すると同時にタイマークリアー（Ｓ８）後、ステップ９に進んで給湯動作をし（Ｓ９）、給湯完了すると（Ｓ１０，１１）ステップ２０，２１へと進む。給湯栓１１を操作しない場合（Ｓ２３，ＮＯ）、ステップ２０に進む。 
【００２０】こうした構成の給湯器１では、所定時間給湯または追焚きをしないと、リモコン２０の運転スイッチ２２を自動的にオフして、表示部２１も消灯する。所定時間経過により自動的にリモコン２０が消灯してしまっても、運転スイッチ２２を押した時と給湯栓１１を開いた場合に限っては、通常操作に復帰し表示部２１が点灯して、他のスイッチも使用できる状態になる。」ことが記載されている。
（Ａ−４）また、図３には水流スイッチ８の出力がコントローラ７に入力されることが描かれている。 
　上記（Ａ−１）〜（Ａ−４）の記載を参照すると、上記引用刊行物Ａには、 
「追焚き機能付給湯器１を構成するコントローラ７を介して遠隔制御し、給湯温度や給湯時間等の運転情報等を表示する表示部２１を有する、追焚き機能付給湯器のリモコン２０であって、 
　追焚き機能付給湯器１の運転の開始，停止を行なう運転スイッチ２２と、浴槽３への給湯を指示する自動給湯スイッチ２３と、浴槽水の追焚きを指示する追焚きスイッチ２４と、所定時間給湯追加するたし湯スイッチ２５と、給湯温度を上下する給湯温度ボタン２６等の操作スイッチ類と、 
　給湯温度や給湯時間等の運転情報等を表示する蛍光管よりなる表示部２１と、
　を備え、
　自動給湯スイッチ２３、追焚きスイッチ２４、たし湯スイッチ２５のいずれのスイッチも操作されないで、一定時間自動給湯、追焚き、一般給湯が行われない状態が経過すると、表示部２１を自動的に消灯するよう制御するとともに、自動的に消灯した場合であっても運転スイッチ２２及び水流スイッチ８がオンした場合には表示部２１を点灯する追焚き機能付給湯器のリモコン２０。」の発明（以下「引用発明」という。）が記載されている。
　また、上記引用刊行物Ｂには、 
（Ｂ−１）「【０００１】 
【発明の属する技術分野】この発明は、例えばビデオカセットレコーダの時刻表示、チャンネルの表示等に使用される表示素子の点灯／消灯を任意に選択することで、待機中の消費電力を低減することができる表示装置に関する。」こと、 
（Ｂ−２）「【０００７】 
【発明の実施の形態】以下、この発明の一実施例について図面を参照して説明する。図１は、この発明の一実施例の概略を示す。１は、据え置き型のＶＣＲを示し、ＶＣＲ１のフロントパネルに表示部２、リモコン受光部３および再生／停止ボタン４が配置される。表示部２は、例えば蛍光表示管から構成される。リモートコントローラのコマンダ５には、複数の指示をＶＣＲ１に伝えるための複数のボタンが配置され、その複数のボタンの中の１つに点灯ボタン６が設けられている。 
【０００８】具体的に、動作を説明する。まず、ＶＣＲ１が待機状態であって、表示部２には、何も表示していない。このとき、コマンダ５の点灯ボタン６が押され、表示部２の表示が数秒間点灯し、その後、再度消灯する。このように、表示が必要なときのみ、所定の時間、例えば数秒間だけ表示部２を点灯することができ、その他のとき、表示部２は、表示を消灯させ、消費電力を削減することができる。 
【０００９】この発明の一実施例におけるＶＣＲ１側の構成を図２に示す。例えば、１００Ｖの商用電源がコンセント１１を介して、メイン電源回路１２に供給される。メイン電源回路１２では、このＶＣＲ１の内部で使用される複数の電源電圧、例えば＋５Ｖ、＋１２Ｖ、＋６Ｖ、−３０Ｖ、＋４．５Ｖの電源電圧が商用電源から生成される。 
【００１０】まず、＋５Ｖの電圧は、スイッチＳＷ１を介して、ビデオ信号およびオーディオ信号を処理するための信号処理回路１３へ供給される。＋１２Ｖの電圧は、スイッチＳＷ２を介して、チューナ１４に供給され、＋１２Ｖの電圧がスイッチＳＷ３を介して、モータ（ドラムモータ、リールモータ等）１５へ供給される。＋６Ｖの電源は、バックアップ部１６を介して、マイコン１７へ供給される。このマイコン１７は、例えばタイマ機能、システム・コントロール機能、サーボ制御機能などを備えている。 
【００１１】−３０Ｖの電源は、スイッチＳＷ４および定電圧用のツェナーダイオード２０を介して、表示部２のフィラメント（陰極）２１の一方の端子に供給される。この−３０Ｖの電圧は、フィラメント２１のバイアス用の電圧である。＋４．６Ｖの電源は、スイッチＳＷ５を介して、フィラメント２１の一方の端子に供給される。このフィラメント２１の他方の端子は、メイン電源回路１２の内の基準電位点と接続されている。 
【００１２】　スイッチＳＷ４およびＳＷ５は、マイコン１７からの制御信号によってオン状態とされた後、マイコン１７のタイマ機能によって、所定の時間後にオフ状態とされる。このスイッチＳＷ４およびＳＷ５のオン／オフに応じて表示部２は、オン／オフする。【００１３】バックアップ部１６は、ダイオード１８およびコンデンサ１９から構成される。メイン電源回路１２の電源出力端子とダイオード１８のアノードが接続され、ダイオード１８のカソードとコンデンサ１９の一方の端子およびマイコン１７の電源入力端子が接続される。また、コンデンサ１９の他方の端子は、接地される。このバックアップ部１６は、コンデンサ１９に電荷を蓄積することでバックアップ用の電源として使用できる。
【００１４】スイッチＳＷ４の出力端子とツェナーダイオード２０のアノードが接続され、ツェナーダイオード２０のカソードとフィラメント２１の一方の端子が接続され、−３０Ｖの電源が供給される。この表示部２は、上述したように蛍光表示管から構成される。この蛍光表示管により構成される表示部２として、直流駆動により駆動され、日の字、その他に固定文字、記号などを組み合わせて構成されるセグメント形、パルス駆動により駆動され、ドットで文字および数字を表示するドットキャラクタ形、電極構造から単純マトリクス形、多重マトリクス形、アクティブ素子マトリクス形に分類されるグラフィックス形等のものを使用できる。・・・ 
【００１５】上述したこの発明の一実施例の動作を説明すると、コマンダ５に配置されている点灯ボタン６が押されると、コマンダ５から点灯を命令する制御信号が出力される。点灯を命令する制御信号は、リモコン受光部３に受信され、受信された制御信号がリモコン受光部３からマイコン１７へ供給される。マイコン１７では、供給された制御信号に応答してスイッチＳＷ４およびＳＷ５が制御され、所定の時間だけスイッチＳＷ４およびＳＷ５がオンする。これによって、表示部２が所定の時間点灯される。このとき、例えば直流駆動のセグメント形蛍光表示管を使用してる場合、グリッド２２は、各陽極電極に対して共通で常にオン状態となっている。スイッチＳＷ４およびＳＷ５は、例えばトランジスタから構成され、トランジスタのコレクタ・エミッタを入出力にして、そのベース電圧をマイコン１７によって、５Ｖ／０Ｖの切り換えを行うことで、制御される。 
【００１６】なお、この一実施例では、バックアップ部１６とメイン電源回路１２とが常に接続されているが、バックアップ部１６とメイン電源回路１２との間にスイッチを設け、バックアップ部１６の電圧レベルに応じてオン／オフすることによって、さらなる消費電力の低減を図ることができる。」こと、 
（Ｂ−３）「【００１７】なお、この一実施例では、コマンダ５からの制御信号によって、所定の時間だけ表示部２が点灯するようになされているが、コマンダ５に点灯／消灯ボタンを設けることで、このボタンの操作に応じて表示部２を点灯／消灯させることも可能である。」ことが記載されている。
 　　　　　　　　　
第４　本願発明と引用発明の対比 
　　　  本願発明と引用発明とを対比する。 
　(i)　引用発明の（ａ）「追焚き機能付給湯器１」、（ｂ）「給湯温度や給湯時間等の運転情報」、（ｃ）「追焚き機能付給湯器１の運転の開始，停止を行なう運転スイッチ２２と、浴槽３への給湯を指示する自動給湯スイッチ２３と、浴槽水の追焚きを指示する追焚きスイッチ２４と、所定時間給湯追加するたし湯スイッチ２５と、給湯温度を上下する給湯温度ボタン２６等の操作スイッチ類」がそれぞれ本願発明の（ａ’）「給湯・追焚装置」、（ｂ’）「給湯・追焚装置の指令や動作の内容」、（ｃ’）「給湯・追焚装置に対する運転指令、運転中の操作指令に用いる指令スイッチ」に相当する。
　(ii）　引用発明の「追焚き機能付給湯器のリモコン２０」は、給湯温度や給湯時間等の運転情報等を表示する表示部２１を有するから、本願発明の「給湯・追焚装置の表示装置」に相当する。 
　(iii)　引用発明の「蛍光管よりなる表示部２１」には「給湯温度や給湯時間等の運転情報」が表示され、さらに給湯時間は数字の文字表示を用いて表示され、給湯温度は数字の文字表示や　゜Ｃの単位記号を用いて表示されるものであるから、引用発明の「蛍光管よりなる表示部２１」は本願発明の「表示器」と「複数の蛍光表示管を備えて該蛍光表示管の点灯により必要な文字や記号等の表示をする」ことで共通するものである。 
　(iv)　引用発明の「蛍光管よりなる表示部２１」で文字や記号等を表示する場合、例えば特開平３−７８９４７号公報（１頁右下欄５〜１２行、第２図）に記載されているように、アノード、グリッド、カソード（フィラメント）に給電して表示するものであり、さらに、引用発明の「蛍光管よりなる表示部２１」も、例えば、給湯温度を上下する給湯温度ボタン２６を操作して給湯温度を変更する際には、表示を構成する複数のアノードあるいはカソードのうち所望の表示をするアノードやカソード（フィラメント）へ給電し、それ以外のアノード、カソードには給電を遮断するよう制御して所望の給湯温度に変更するものであるから、引用発明も蛍光管よりなる表示管２１で所望の表示をさせるために、本願発明と同様に「蛍光表示管のアノード、グリッド又はカソードに給電し、これらアノード、グリッド又はカソードに対する給電を選択的に遮断する給電手段」を有するとともに「指令スイッチの操作に基づき給電手段からの蛍光表示管のアノード又はグリッドに対する給電を制御して前記表示器に必要な表示をさせる制御手段」を備えることになる。 　
　(v)　引用発明は、自動給湯スイッチ２３、追焚きスイッチ２４、たし湯スイッチ２５のいずれのスイッチも操作されないで、一定時間自動給湯、追焚き、一般給湯が行われない状態が経過すると、表示部２１を自動的に消灯するよう制御するとともに、自動的に消灯した場合であっても運転スイッチ２２及び水流スイッチ８がオンした場合に表示部２１を点灯するように制御しており、この引用発明の「自動給湯スイッチ２３、追焚きスイッチ２４、たし湯スイッチ２５のいずれのスイッチも操作されないで、一定時間自動給湯、追焚き、一般給湯が行われない状態が経過すると、表示部２１を自動的に消灯するよう制御する」ことは本願発明の「省電力モードスイッチ」と「省電力モードに移行させ、蛍光表示管に対する給電を解除する省電力モードの指令する省電力モード手段」で共通するものであり、さらに水流スイッチ８のオンしたときの出力は追焚き機能付給湯器１を構成するコントローラ７に入力され、自動的に消灯した場合であっても水流スイッチ８がオンした場合には表示部２１を点灯するものであるから、引用発明の「水流スイッチ８がオンした場合」は本願発明の「給湯・追焚装置から送出される、水流を表す水流検出信号」に相当し、引用発明の「自動的に消灯した場合であっても運転スイッチ２２及び水流スイッチ８がオンした場合には表示部２１を点灯するように制御する」ことは、本願発明の「制御手段」と「この省電力モード中の指令スイッチの操作により又は前記給湯・追焚装置から送出される、水流を表す水流検出信号の何れかにより省電力モードを解除し、給電を再開させて蛍光表示管を点灯状態にする」点で共通するものである。
　そうすると、本願発明と引用発明とは、 
「給湯・追焚装置を遠隔操作するリモコン装置に設置されて給湯・追焚装置の指令や動作の内容を表示する、給湯・追焚装置の表示装置であって、 
　前記給湯・追焚装置に対する運転指令、運転中の操作指令に用いる指令スイッチと、 
　複数の蛍光表示管を備えて該蛍光表示管の点灯により必要な文字や記号等の表示をする表示器と、 
　この表示器の前記蛍光表示管のアノード、グリッド又はカソードに給電し、これらアノード、グリッド又はカソードに対する給電を選択的に遮断する給電手段と、 
 　前記蛍光表示管に対する給電を解除する省電力モードの指令をする省電力モード手段と、 
　前記指令スイッチの操作に基づき前記給電手段からの前記蛍光表示管のアノード又はグリッドに対する給電を制御して前記表示器に必要な表示をさせ、前記省電力モード手段により前記省電力モードに移行させ、この省電力モードにおいて、給電を遮断して前記蛍光表示管を消灯状態に制御し、この省電力モード中の前記指令スイッチの操作により又は前記給湯・追焚装置から送出される、水流を表す水流検出信号により前記省電力モードを解除し、給電を再開させて前記蛍光表示管を点灯状態にする制御手段と、 
　を備えたことを特徴とする給湯・追焚装置の表示装置。」である点で一致し、次の相違点（ア）及び相違点（イ）で相違している。 
・相違点（ア） 
　本願発明では省電力モード手段が「蛍光表示管のカソードに対する給電を解除する省電力モードの指令又はその指令を解除する省電力モードスイッチ」であり、制御手段が「省電力モードスイッチの操作により省電力モードに移行させ、この省電力モードにおいて、カソードに対する給電を遮断して前記蛍光表示管を消灯状態に制御」するとともに、この省電力モード中の指令スイッチの操作により省電力モードを解除し、給電を再開させて蛍光表示管を点灯状態にする際に、「カソード」の給電を再開させて蛍光表示管を点灯状態にするのに対して、引用発明ではそのような構成を備えていない点。
・相違点（イ）
　本願発明では給湯・追焚装置から送出される、「動作開始を表す動作開始フラグ、バーナの炎検出を表す炎検出信号、水流を表す水流検出信号の何れか」により省電力モードを解除するのに対して、引用発明では「水流スイッチ８がオンした場合」に「表示部２１を点灯する」点。
　　　　　　　　　　　　
第５　当審の判断
　　　　そこで、上記相違点（ア）及び相違点（イ）について判断する。
・相違点（ア）について
　上記引用刊行物Ｂには、表示装置の蛍光表示器の待機中の消費電力を低減するために点灯／消灯ボタンを設け、点灯／消灯ボタンを操作することにより、マイコンが点灯していた蛍光表示器を消灯状態にする際はスイッチをオフして電源からの蛍光表示器のフィラメントへの電源供給を遮断して蛍光表示器を消灯状態にし、消灯していた蛍光表示器を点灯状態にする際はスイッチをオンして電源からの蛍光表示器のフィラメントへの電源供給を再開し蛍光表示器を点灯状態にすることが記載されており、引用発明の追焚き機能付給湯器のリモコン２０の表示器２１も上記引用刊行物Ｂに記載された発明の表示装置もともに消費電力を低減することが必要な蛍光表示器で共通するものであるから、引用発明においても蛍光表示器の消費電力を低減するために、自動給湯スイッチ２３、追焚きスイッチ２４、たし湯スイッチ２５のいずれのスイッチも操作されないで、一定時間自動給湯、追焚き、一般給湯が行われない状態が経過すると、表示部２１を自動的に消灯するよう制御する代わりに、表示装置の蛍光表示器の待機中の消費電力を低減するために点灯／消灯ボタンを設け、点灯／消灯ボタンを操作することにより、引用発明の制御部８３が、点灯していた蛍光表示器を消灯状態にする際はスイッチをオフして電源からの蛍光表示器のフィラメントへの電源供給を遮断して蛍光表示器を消灯状態にすること、すなわち「蛍光表示管のカソードに対する給電を解除する省電力モードの指令又はその指令を解除する省電力モードスイッチ」を設け、「制御手段」が「省電力モードスイッチの操作により省電力モードに移行させ、この省電力モードにおいて、カソードに対する給電を遮断して前記蛍光表示管を消灯状態に制御」することは当業者が容易になし得るものである。そして、上記引用刊行物Ｂのごとく蛍光表示管のカソードに対する給電を解除して省電力モードへ移行する構成を採用した際には、省電力モード中の指令スイッチの操作により省電力モードを解除し、給電を再開させて蛍光表示管を点灯状態にする際は「カソード」の給電を再開させて蛍光表示管を点灯状態にすることは必然的な設計事項である。
・相違点（イ）について
　上記引用刊行物Ａの（Ａ−３）の段落番号【００１９】には「自動的に運転スイッチ２２がオフした場合は、給湯栓１１を開いた時にかぎって、自動的に運転スイッチ２２をオフとした処理をキャンセルしオンの状態に復帰させることができる。つまり、水流スイッチ８がオンした時に限って給湯燃焼する。」ことが記載されていることから、引用発明の自動的に表示部を消灯した場合であっても水流スイッチ８がオンした場合の出力は、本件出願の明細書の発明の詳細な説明の段落番号【００５８】に記載されていると同様に給湯の動作開始を表わす動作開始の出力であることは明らかである。
　そうすると、この引用発明では自動的に消灯した場合であっても表示部２１を点灯するために用いる追焚き機能付給湯器からの給湯の動作開始の手段として、水流スイッチ８がオンした場合を用いているが、追焚き機能付給湯器において、給湯の動作開始をする際、パイロットバーナの点火を確認したときにセットされるフラグにより給湯バーナに点火して給湯の動作開始をすること、あるいはフレームロッド（炎検出器）でパイロットバーナの点火を確認したときに給湯のバーナに点火して給湯の動作開始をすることはともに周知（例えば、前者について特開平４−１５５１２０号公報［４頁左下欄１〜１５行、第６図］、後者について特開平４−１５５１２０号公報［第２頁左上欄５行〜左下欄１６行］、特開平４−６３１４号公報［２頁右上欄５行〜左下欄１６行］参照）であり、引用発明の給湯の開始に関する水流スイッチ８がオンする場合も周知例のパイロットバーナの点火を確認したときにセットされるフラグ、あるいはフレームロッド（炎検出器）でパイロットバーナの点火を確認することもともに追焚き機能付給湯器からの給湯の動作開始をする手段で共通するものであるから、引用発明において自動的に消灯した場合であっても表示部２１を点灯するために用いる追焚き機能付給湯器からの給湯の動作開始をする手段として、給湯開始の水流スイッチ８がオンする場合に限らず、給湯開始に関連するパイロットバーナの点火を確認したときにセットされるフラグ、あるいはフレームロッド（炎検出器）でパイロットバーナの点火を確認することも含めて、給湯の開始に関連するパイロットバーナの点火を確認したときにセットされるフラグ、フレームロッド（炎検出器）でパイロットバーナの点火を確認すること、あるいは水流スイッチ８がオンした場合の何れかにより自動的に消灯した表示部２１を点灯するようにすること、すなわち給湯・追焚装置から送出される、「動作開始を表す動作開始フラグ、バーナの炎検出を表す炎検出信号、水流を表す水流検出信号の何れか」により省電力モードを解除することは当業者であれば容易になし得るものである。
　そして、本願発明によってもたらされる効果は、引用発明、引用刊行物Ｂに記載された発明及び周知の技術事項から予測される範囲内のものであり、格別のものではない。 
　したがって、本願発明は、引用発明、引用刊行物Ｂに記載された発明及び周知の技術事項に基づき当業者が容易に発明をすることができたものである。 
　
第６　むすび
　　　　以上のとおりであるから、本願発明は特許法第２９条第２項の規定により特許を受けることができないものであるので、その余の請求項に係る発明について検討するまでもなく、本件出願は、当審で通知した上記拒絶の理由によって拒絶をすべきものである。
　よって、結論のとおり審決する。